(57)【要約】【課題】開閉検知手段として検知スイッチを始め他の部品も総てケース体内に収納しユニット化することにより、その取付作業の簡略化、取付個所の確保の容易化が図られると共に検知スイッチの破損の危険性もほとんど無い有益な遊技機を提供する。【解決手段】固定枠体１または該固定枠体１に開閉自在に軸着される可動枠体３のいずれか一方に該可動枠体３の開閉状態を検知する開閉検知手段２３を設け、該開閉検知手段２３は、ケース体３０と、その中に収納される検知スイッチ４０及び同一軸線上で自在に摺動する一対の可動体５０ａ，５０ｂと、両可動体５０ａ，５０ｂ間にこれらを互いに離すように付勢すると共に常には自然長の長さで介在する弾性部材６０と、からなり、同一軸線上であって一方の可動体５０ａの一側に検知スイッチ４０のスイッチボタン４１が対向位置すると共に他方の可動体５０ｂの一側にケース体３０からその外側へ突出する検知杆５４が設けられる。【選択図】図７
2010005068.tif 000002
【特許請求の範囲】
【請求項１】
固定枠体に可動枠体が開閉自在に軸着され、前記固定枠体または前記可動枠体のいずれか一方に該可動枠体の開閉状態を検知する開閉検知手段を設け、
前記開閉検知手段は、空洞状に形成されるケース体と、前記ケース体内に収納される検知スイッチと、前記検知スイッチと隣接して前記ケース体内に収納され同一軸線上で自在に摺動する一対の可動体と、前記両可動体間にこれら可動体を互いに離すように付勢すると共に常には自然長の長さで介在する弾性部材と、からなり、
前記同一軸線上であって前記一方の可動体の一側に前記検知スイッチのスイッチボタンが対向位置すると共に前記他方の可動体の一側に前記ケース体からその外側へ突出する検知杆が設けられ、
前記検知杆が前記ケース体内に押し込まれると、前記弾性部材の弾性力により前記一方の可動体が検知スイッチ側へ押されてそのスイッチボタンを押動するようにしたことを特徴とする遊技機。
【発明の詳細な説明】
【技術分野】
【０００１】
本発明は、固定枠体または該固定枠体に開閉自在に軸着される可動枠体のいずれか一方に該可動枠体の開閉状態を検知する開閉検知手段を設けた遊技機に関するものである。
【背景技術】
【０００２】
一般に、遊技機の一種であるパチンコ遊技機は、固定枠体である外枠の前面に遊技盤が配設された可動枠体である内枠が開閉自在に軸着されている。そして、これら外枠と内枠にあっては、通常、例えば不正行為を防止するため内枠の開閉状態を検知する開閉検知手段が設けられている。すなわち、内枠の裏面であって開放側の端部に検知スイッチが設けられ、外枠の前面に前記検知スイッチと対応位置させて内枠が外枠前面に閉塞したとき該検知スイッチのスイッチボタンに当接して該スイッチボタンを押す開閉検知部が設けられている。そして、内枠が閉塞されている状態では、開閉検知部により検知スイッチのスイッチボタンが押されて検知スイッチがＯＮ状態となり、内枠が閉塞されていることを知らせる。また、内枠が開放されると、開閉検知部が検出スイッチのスイッチボタンから離れ該スイッチボタンが突出して検知スイッチはＯＦＦ状態となり、内枠が開放されていることを知らせるようになっている（例えば、特許文献１参照。）。
【０００３】
【特許文献１】特開２００７−２９６２３２号公報（第５−６頁、図５乃至図７）
【発明の開示】
【発明が解決しようとする課題】
【０００４】
しかしながら、前記特許文献１に係るパチンコ遊技機では、内枠側に検知スイッチを配置固定すると共に外枠側に該検知スイッチのスイッチボタンを押す開閉検知部を配置固定するようにしているので、内枠と外枠に位置合わせの調整をしながら検知スイッチと開閉検知部をそれぞれ配置固定しなければならず、これら作業に面倒な手間が掛かる。また、内枠と外枠との好適な位置に検知スイッチと開閉検知部を配置しなければならないが、通常、この種の外枠、内枠には多くの部品が密集して設けられており、その設置個所を確保することが難しい。更に、検知スイッチはそのスイッチボタンが外部に露出した状態で取り付けられているので、内枠などの組み立て時にスイッチボタンに物が直接当たって検知スイッチが破損するという危険性が高い。因みに、該検知スイッチが破損すると、その交換作業に面倒な手間を要することになる。
【０００５】
そこで、本発明は上記課題を解決すべくなされたもので、開閉検知手段として検知スイッチを始め他の部品も総てケース体内に収納しユニット化することにより、その取付作業の簡略化、取付個所の確保の容易化が図られると共に検知スイッチの破損の危険性もほとんど無い有益な遊技機を提供することを目的とするものである。
【課題を解決するための手段】
【０００６】
かかる目的を達成するため本発明に係る遊技機は、固定枠体に可動枠体が開閉自在に軸着され、前記固定枠体または前記可動枠体のいずれか一方に該可動枠体の開閉状態を検知する開閉検知手段を設け、前記開閉検知手段は、空洞状に形成されるケース体と、前記ケース体内に収納される検知スイッチと、前記検知スイッチと隣接して前記ケース体内に収納され同一軸線上で自在に摺動する一対の可動体と、前記両可動体間にこれら可動体を互いに離すように付勢すると共に常には自然長の長さで介在する弾性部材と、からなり、前記同一軸線上であって前記一方の可動体の一側に前記検知スイッチのスイッチボタンが対向位置すると共に前記他方の可動体の一側に前記ケース体からその外側へ突出する検知杆が設けられ、前記検知杆が前記ケース体内に押し込まれると、前記弾性部材の弾性力により前記一方の可動体が検知スイッチ側へ押されてそのスイッチボタンを押動するようにしたことを特徴とする。
【発明の効果】
【０００７】
本発明に係る遊技機は、固定枠体または該固定枠体に開閉自在に軸着される可動枠体のいずれか一方に該可動枠体の開閉状態を検知する開閉検知手段を設け、該開閉検知手段は、ケース体と、該ケース体内に収納される検知スイッチと、該検知スイッチと隣接して前記ケース体内に収納され同一軸線上で自在に摺動する一対の可動体と、両可動体間にこれら可動体を互いに離すように付勢すると共に常には自然長の長さで介在する弾性部材と、からなり、前記同一軸線上であって一方の可動体の一側に前記検知スイッチのスイッチボタンが対向位置すると共に他方の可動体の一側にケース体からその外側へ突出する検知杆が設けられた構成からなる。このように、開閉検知手段は、検知スイッチや一対の可動体がケース体内に総て収納されるので、一個で済む。よって、その取付作業が簡素化され、しかも、固定枠体または可動枠体のいずれにも配置できることとも相俟ち配置個所の確保も容易になる。更には、検知スイッチがケース体内に収納されそのスイッチボタンが弾性部材の弾性力により間接的に押されるので、その検知スイッチが破損する危険性もほとんど無いという有益な効果を奏する。
【発明を実施するための最良の形態】
【０００８】
以下、本発明に係る遊技機の実施の形態を図面に従って詳しく説明する。遊技機としては、パチンコ遊技機、雀球遊技機、アレパチ機、アレンジボール機があり、本発明はいずれにも適用できるが、この内、パチンコ遊技機について説明する。図１は本発明に係るパチンコ遊技機の表側から見た斜視図、図２は同裏側から見た斜視図である。パチンコ遊技機Ｐは、縦長長方形状に枠組みされた固定枠体としての外枠１を有し、該外枠１の前面に該外枠１の一側上下に設けたヒンジ機構２，２を介して可動枠体としての内枠３が開閉自在に軸着される。該内枠３には、図柄を変動表示する可変表示装置４や遊技球の入賞により該可変表示装置４を作動させる始動入賞口５、前記停止した図柄が特定の図柄（例えば、７７７）に揃って遊技者に有利な特別遊技状態となったとき、開成して一度に多くの入賞球を発生させる入賞装置６等の盤面部品を装着した遊技盤７が配設されている。
【０００９】
内枠３の前面には、遊技盤７の前面上部を覆う透明板保持枠８とその下方に位置して遊技盤７の前面下部を覆う前板９が配置される。また、前板９の下方に、下部前板１０が配置される。透明板保持枠８及び前板９、下部前板１０は、共に一側で開閉自在に軸着される。前記前板９の前面に、打球発射位置（図示せず。）へ供給される遊技球を貯留するための上部球受皿１１が装着される。下部前板１０の前面には、上部球受皿１１から溢れる遊技球を貯留する下部球受皿１２が装着され、その一側に打球発射位置から発射される遊技球の打球力の強さを調整する打球力調整ハンドル１３が設けられている。
【００１０】
透明板保持枠８の前面に、前記遊技盤７前面の遊技部が視認できる開口１４が開設され、該開口１４には合成樹脂製またはガラス製の一対の透明板１５が装着されている。図示は省略するが、前記透明板保持枠８の他側には錠挿通孔が設けられ、透明板保持枠８を内枠３の前面に当接して閉めたとき、内枠３の前面に錠挿通孔と対応位置して前方へ突設された錠が錠挿通孔に嵌り、この状態で、その前側から施錠することにより透明板保持枠８が開放できない状態になる。
【００１１】
内枠３の後面には、遊技盤７の裏面を覆うようにして合成樹脂製の機構板１６が配置される。該機構板１６は、一側上下のヒンジ機構１７，１７を支点にし内枠３に対して開閉自在に軸着される。ただ、透明板保持枠８と機構板１６は、共に内枠３の前側と後側にそれぞれ位置するも同じ側に軸着されている。機構板１６の裏面には、その上部に位置して遊技球を貯留する球タンク１８が配置され、その下方に該球タンク１８から排出される遊技球を下流へ誘導するタンクレール１９が配置される。タンクレール１９の流下端にカーブレール２０が連接され、該カーブレール２０の下方に球払出装置２１が配置される。また、その下方には、球払出装置２１から払い出された遊技球を前記前板９の前面に装着された上部球受皿１１に導く球排出樋２２が配設されている。
【００１２】
そこで、図３に示すように前記機構板１６の前面であってヒンジ機構１７，１７側の下部に、内枠３の開閉状態を検知する開閉検知手段２３が設けられている。この場合、固定枠体である外枠１に対して内枠３が可動枠体であって、該内枠３に機構板１６が装着されるので、外枠１に対しては機構板１６も可動枠体となる。同様に、内枠３の前面に装着される透明板保持枠８、前板９、下部前板１０も外枠１に対しては可動枠体となる。次に、開閉検知手段２３について説明する。図４は開閉検知手段の組立図、図５は同分解斜視図、図６（イ）（ロ）は作用を示す開閉検知手段の縦断面図である。
【００１３】
開閉検知手段２３は、空洞状に形成されるケース体３０と、該ケース体３０内に収納される検知スイッチ４０と、該検知スイッチ４０と隣接して前記ケース体３０内に収納され同一軸線上で自在に摺動する一対の可動体５０ａ，５０ｂと、両可動体５０ａ，５０ｂ間にこれら可動体５０ａ，５０ｂを互いに離すように付勢すると共に常には自然長の長さで介在する弾性部材６０と、からなる。
【００１４】
前記ケース体３０は、合成樹脂材により縦長の略蒲鉾形状に形成され上半体３０ａと下半体３０ｂとからなる。そして、これらを上下に重ね合わすことによって内部の一側に検知スイッチ４０を配置する台座部３１が設けられ、内部の他側に該台座部３１に隣接するようにして前記一対の可動体５０ａ，５０ｂを同一軸線上に配置する収納凹部３２が設けられる。台座部３１の上面には、検知スイッチ４０を位置ずれすることなく固定するための位置規制片３３が突設されている。また、上半体３０ａの一側には、下半体３０ｂと上半体３０ａを重ねたとき台座部３１の上面と対向位置して該台座部３１の上面と平行をなす平坦壁３４が形成され、該平坦壁３４と台座部３１との間に検知スイッチ４０が嵌って固定されることになる。ケース体３０の長手方向であって台座部３１とは反対側の側壁３０ｃに、前記他方の可動体５０ｂに設けられた後記検知杆５４が挿通される通孔３５が開設されている。両上・下半体３０ａ，３０ｂの周縁における対向位置に、互いに重なって螺子挿通孔３６が開設される取付片３７が設けられている。更に、上半体３０ａと下半体３０ｂの共に台座部３１側の外側面に、下半体３０ｂに上半体３０ａを重ねたとき互いに係合する係合突起３８と係合孔３９が設けられている。
【００１５】
検知スイッチ４０は、略平板状に形成され、前記下半体３０ｂの台座部３１と上半体３０ａの平坦壁３４とで挟まれる空間に嵌る厚みを有し、その厚み部の一側面にスイッチボタン４１が出没自在に突設されている。
【００１６】
一対の可動体５０ａ，５０ｂは、合成樹脂材により成形される。一方の可動体５０ａすなわち大径の可動体５０ａは、一端が開放し他端が閉塞する円筒状に形成され、閉塞壁５１ａの外側面中央にその中心軸線上に沿った押動杆５２が突設されている。また、可動体５０ａの外周面には、その中心軸線と平行な凹条５３が複数本設けられている。これら凹条５３は、前記収納凹部３２に配置したとき該収納凹部３２の底面中央であって台座部３１からこれと対向する側壁３０ｃに向かって設けられた突条３２ａに嵌まるようになっている。これは、該可動体５０ａが、突条３２ａに沿って正しく摺動しふらつくことのないようにするためである。他方の可動体５０ｂすなわち小径の可動体５０ｂも、一端が開放し他端が閉塞する円筒状に形成され、閉塞壁５１ｂの外側面中央にその中心軸線に沿った検知杆５４が突設されている。該可動体５０ｂの外径は前記大径の可動体５０ａの内径とほぼ同じ寸法に形成され、他方の可動体５０ｂがその中に容易に出し入れできるようになっている。因みに、両可動体５０ａ，５０ｂは共に略同じ長さ寸法に設定されている。
【００１７】
前記弾性部材６０としては、金属製の圧縮コイルバネが使用される。該圧縮コイルバネ６０は、前記他方の小径の可動体５０ｂ内に入る外径寸法を有し、また、両可動体５０ａ，５０ｂを重ねた状態でその中に収納したとき、常には自然長の長さで介在されるようにその長さが設定される。
【００１８】
開閉検知手段２３は上記構成からなり、下半体３０ｂの台座部３１上面にスイッチボタン４１が収納凹部３２に臨むようにして配置すると共にその反対側を位置規制片３３に押し当てて位置を固定する。次に、小径の可動体５０ｂ内に圧縮コイルバネ６０を装填すると共に、該可動体５０ｂに大径の可動体５０ａを嵌着させる。この場合、両可動体５０ａ，５０ｂは共に開放側が向かい合って接合され、大径の可動体５０ａの閉塞壁５１ａの外側面中央に突設された押動杆５２と小径の可動体５０ｂの閉塞壁５１ｂの外側面中央に突設された検知杆５４とは互いに同一中心軸線上に位置し、しかも、互いに逆向きの関係になっている。
【００１９】
そして、一方の大径の可動体５０ａを検知スイッチ４０側にして両可動体５０ａ，５０ｂを収納凹部３２に収納する。この際、大径の可動体５０ａの外周面に設けられたいずれかの凹条５３が収納凹部３２の底面中央の突条３２ａに嵌り、可動体５０ａと共に可動体５０ｂも該突条３２ａに沿って摺動することになる。また、この状態で、下半体３０ａの上面に上半体３０ｂを重ねる。この際、図４に示すように他方の小径の可動体５０ｂの検知杆５４が、ケース体３０の一側壁３０ｃの中央に設けられた通孔３５から外側へ突出している。
【００２０】
そこで、常には両可動体５０ａ，５０ｂ内の同一中心軸線方向に圧縮コイルバネ６０が自然長の長さで介在し得るスペースが形成され、検知スイッチ４０のスイッチボタン４１が押されるようなことも無い。この状態で、他方の可動体５０ｂの検知杆５４が通孔３５内に押し込まれると、該他方の可動体５０ｂが検知スイッチ４０側へ移動し、これに伴い圧縮コイルバネ６０も同方向へ移動する。これにより、一方の可動体５０ａが圧縮コイルバネ６０により検知スイッチ４０側へ押され、その押動杆５２によりスイッチボタン４１を押すようになっている。
【００２１】
このように構成される開閉検知手段２３は、図３に示したように機構板１６の前面であってヒンジ機構１７の下部に配置され、螺子挿通孔３６，３６に螺子（図示せず。）を挿通すると共に螺締して固定される。この状態では、ケース体３０の一側壁３０ｃから突出する検知杆５４が、機構板１６のヒンジ機構１７側の側端縁から側方へ突出している。
【００２２】
そして、外枠１に内枠３を軸着して該内枠３を外枠１前面に閉塞したときは、図６実線のように検知杆５４が外枠１の内側面１ａにより押されて通孔３５内に押し込まれている。この状態では、図７（イ）に示したように他方の可動体５０ｂが検知スイッチ４０側へ移動し、これに押される圧縮コイルバネ６０によって一方の可動体５０ａを検知スイッチ４０側へ押し、その押動杆５２によりスイッチボタン４１を押す。これにより検知スイッチ４０がＯＮ状態となり、検知スイッチ４０から主制御基板（図示せず。）へＯＮ信号が出力され、内枠３が閉塞されていることを報知する。
【００２３】
一方、内枠３を外枠１前面から開放したときは、図６鎖線のように圧縮コイルバネ６０により他方の可動体５０ｂが検知スイッチ４０とは反対側へ移動し、検知杆５４が外枠１の内側面１ａから突出する。この状態では、図７（ロ）に示したように圧縮コイルバネ６０が自然長の長さになると共に他方の可動体５０ｂが元の位置に戻り、一方の可動体５０ａも検知スイッチ４０のスイッチボタン４１により押されて元の位置に戻る。これにより検知スイッチ４０がＯＦＦ状態となり、検知スイッチ４０から主制御基板（図示せず。）へＯＦＦ信号が出力され、内枠３が開放されていることを報知する。
【００２４】
よって、仮に、内枠３が開放されていないにも拘わらず、開放されたというＯＦＦ信号が出力され報知すると、そのパチンコ遊技機Ｐは不正行為が行なわれていると判断され、適宜処置が施されることになる。
【００２５】
このように、本発明は外枠１または該外枠１に開閉自在に軸着される内枠３のいずれか一方に該内枠３の開閉状態を検知する開閉検知手段２３を設けている。該開閉検知手段２３は、ケース体３０と、該ケース体３０内に収納される検知スイッチ４０と、該検知スイッチ４０と隣接してケース体３０内に収納され同一軸線上で自在に摺動する一対の可動体５０ａ，５０ｂと、両可動体５０ａ，５０ｂ間にこれら可動体５０ａ，５０ｂを互いに離すように付勢すると共に常には自然長の長さで介在する圧縮コイルバネ６０と、からなる。そして、前記同一軸線上であって一方の可動体５０ａの一側に検知スイッチ４０のスイッチボタン４１が対向位置すると共に、他方の可動体５０ｂの一側にケース体３０からその外側へ突出する検知杆５４が設けられている。
【００２６】
このように、開閉検知手段２３は、検知スイッチ４０や一対の可動体５０ａ，５０ｂがケース体３０内に総て収納されるので、一個で済む。よって、その取付作業が簡素化されると共に、外枠１または内枠３のいずれにも配置できることとも相俟ち配置個所の確保も容易になる。更には、検知スイッチ４０がケース体３０内に収納されそのスイッチボタン４１が圧縮コイルバネ６０の弾性力により間接的に押されるので、その検知スイッチ４０が破損する危険性もほとんど無い。
【００２７】
なお、本発明にあっては、開閉検知手段２３を内枠３側に設けたが、外枠１の内側面に設けるようにしても良い。また、固定枠体を外枠１とし、可動枠体３を内枠３としたが、これに限らず固定枠体を内枠３とし可動枠体を透明板保持枠８、前板９または下部前板１０にするなど固定枠体に可動枠体が開閉自在に軸着される部位であれば開閉検知手段２３をどこにでも配置できる。
【図面の簡単な説明】
【００２８】
【図１】本発明に係るパチンコ遊技機の表側から見た斜視図。
【図２】同裏側から見た斜視図。
【図３】機構板の裏側から見た斜視図。
【図４】開閉検知手段の斜視図。
【図５】同分解斜視図。
【図６】機構板に取着した開閉検知手段の動作を説明する平面断面図。
【図７】（イ）（ロ）は開閉検知手段の作用を示す断面図。
【符号の説明】
【００２９】
１              外枠
２              ヒンジ機構
３              内枠
２３            開閉検知手段
３０            ケース体
４０            検知スイッチ
４１            スイッチボタン
５０ａ          可動体
５０ｂ          可動体
５４            検知杆
６０            弾性部材
Ｐ              遊技機（パチンコ遊技機）
【図１】
2010005068.tif 000003
【図２】
2010005068.tif 000004
【図３】
2010005068.tif 000005
【図４】
2010005068.tif 000006
【図５】
2010005068.tif 000007
【図６】
2010005068.tif 000008
【図７】
2010005068.tif 000009